(57)【特許請求の範囲】
【請求項１】
屋内の塵埃を取り除くための建物の清掃システムであって、
床に形成された開口に上端が接続され床下空間に配置される集塵部と、
前記床の上下方向で貫通させた複数の空隙が形成されるとともに前記集塵部の上面を着脱自在に塞ぐ蓋部と、
前記集塵部の内空を仕切るフィルター部と、
床上から前記集塵部に向けての気流を生成する気流形成部と、
前記集塵部から送り出された排気を前記床下空間又は屋外に排出するための排気経路部とを備え、
前記気流形成部は、前記集塵部の上方に上下方向に延伸された内空を有しており、前記気流形成部の上部には、空気の流入口が設けられるとともに、前記蓋部に隣接する前記気流形成部の仕切壁には前記床の上面まで切り欠かれた取込口が設けられ、その取込口は開閉自在の扉部で覆われていることを特徴とする建物の清掃システム。
【請求項２】
前記気流形成部は、床下空間に設置される排気ファン部であることを特徴とする請求項１に記載の建物の清掃システム。
【請求項３】
前記集塵部は、箱状の函体部と、その函体部に収容されて前記床の上から取り外し可能な集塵籠部とを有することを特徴とする請求項１又は２に記載の建物の清掃システム。
【請求項４】
前記函体部の下部に前記排気ファン部との接続部が設けられており、その接続部よりも上方の高さで前記函体部の内空を上部空間と下部空間とに仕切るフィルター部が設けられ、前記集塵籠部は前記上部空間に収容されることを特徴とする請求項３に記載の建物の清掃システム。
【請求項５】
前記排気ファン部と接続させるために前記函体部に設けられる接続部は、前記函体部に穿孔された貫通穴に挿通される継手管部と、前記函体部の内空側に配置される前記継手管部の端部に鍔状に形成されるフランジ部とを有することを特徴とする請求項４に記載の建物の清掃システム。
【請求項６】
前記気流形成部の内空には、下方に向けた気流を生成させる気流生成装置が設けられていることを特徴とする請求項１乃至５のいずれか一項に記載の建物の清掃システム。
【請求項７】
屋内の塵埃を取り除くための建物の清掃システムであって、
床に形成された開口に上端が接続され床下空間に配置される集塵部と、
前記床の上下方向で貫通させた複数の空隙が形成されるとともに前記集塵部の上面を着脱自在に塞ぐ蓋部と、
前記集塵部の内空を仕切るフィルター部と、
床上から前記集塵部に向けての気流を生成する気流形成部と、
前記集塵部から送り出された排気を前記床下空間又は屋外に排出するための排気経路部とを備え、
前記集塵部は、前記床の開口側が広い漏斗状に形成された漏斗部であって、前記フィルター部は前記漏斗部の内空を上部空間と下部空間とに仕切るように配置され、
前記フィルター部の上に前記漏斗部の内空の空気の流れを制御する制御ファンを設けたことを特徴とする建物の清掃システム。
【請求項８】
前記気流形成部は、床下空間に設置される排気ファン部であることを特徴とする請求項７に記載の建物の清掃システム。
【請求項９】
前記漏斗部の下流側の管路の一部を略Ｕ字状に形成したことを特徴とする請求項７又は８に記載の建物の清掃システム。
【請求項１０】
前記管路の略Ｕ字状に形成された箇所にメンテナンス栓を設けたことを特徴とする請求項９に記載の建物の清掃システム。
【請求項１１】
前記制御ファンと前記フィルター部との間に箱状の集塵箱部を介在させたことを特徴とする請求項７乃至１０のいずれか一項に記載の建物の清掃システム。
【請求項１２】
前記屋内の壁の上部には、屋外に連通する給気口が設けられていることを特徴とする請求項１乃至１１のいずれか一項に記載の建物の清掃システム。
【請求項１３】
前記排気ファン部の風力を調整するスイッチ部を備えていることを特徴とする請求項１乃至１２のいずれか一項に記載の建物の清掃システム。
【発明の詳細な説明】
【技術分野】
【０００１】
本発明は、屋内の塵埃を取り除くのに適した建物の清掃システムに関するものである。
【背景技術】
【０００２】
従来、屋内の壁際にグレーチングなどで蓋がされた溝を設けておき、壁際に自然に集まる埃や、ほうき等で掃き集められた塵埃を落とし、溝に落ちた塵埃を気流やセントラルクリーナで回収する集塵装置が知られている（特許文献１，２参照）。
【０００３】
また、セントラルクリーナとしては、特許文献３に、掃除機のホース延長管を差し込む差込み口が壁に設けられた一般的な構成が開示されている。このホース延長管の途中には集塵袋が取り付けられており、掃除機のヘッドから吸込まれた塵埃はその集塵袋に集められる。さらに、特許文献４には、２４時間換気ステムによって、臭いや細かい埃を取り除くことができる構成が開示されている。
【先行技術文献】
【特許文献】
【０００４】
【特許文献１】特開２００６−１５２６２３号公報
【特許文献２】実開昭５８−１０９４４４号公報
【特許文献３】特開平５−２３２６７号公報
【特許文献４】特開２００７−１０１０７７号公報
【発明の概要】
【発明が解決しようとする課題】
【０００５】
しかしながら、従来のセントラルクリーナを使用するタイプでは、真空吸引がおこなわれるため動作音が大きく、夜中などの騒音が出しにくいときには使えず、思い立ったときに掃除をすることができない。
【０００６】
また、２４時間換気などで自動的に埃を吸い取るタイプは、屋内に発生する音は静かであるが、大きな塵などを取り除くことができない。さらに、溝に落ちた大きな塵は、気流や傾斜を利用して集めようとしても、途中で留まって上手く集められない場合がある。
【０００７】
そこで、本発明は、大きな塵を取り除くことが可能で、メンテナンスも容易におこなうことができる建物の清掃システムを提供することを目的としている。
【課題を解決するための手段】
【０００８】
前記目的を達成するために、本発明の建物の清掃システムは、屋内の塵埃を取り除くための建物の清掃システムであって、床に形成された開口に上端が接続され床下空間に配置される集塵部と、前記床の上下方向で貫通させた複数の空隙が形成されるとともに前記集塵部の上面を着脱自在に塞ぐ蓋部と、前記集塵部の内空を仕切るフィルター部と、床上から前記集塵部に向けての気流を生成する気流形成部と、前記集塵部から送り出された排気を前記床下空間又は屋外に排出するための排気経路部とを備えたことを特徴とする。
【０００９】
ここで、前記気流形成部は、床下空間に設置される排気ファン部とすることができる。また、前記集塵部は、箱状の函体部と、その函体部に収容されて前記床の上から取り外し可能な集塵籠部とを有する構成とすることができる。
【００１０】
さらに、前記函体部の下部に前記排気ファン部との接続部が設けられており、その接続部よりも上方の高さで前記函体部の内空を上部空間と下部空間とに仕切るフィルター部が設けられ、前記集塵籠部は前記上部空間に収容される構成であってもよい。
【００１１】
また、前記排気ファン部と接続させるために前記函体部に設けられる接続部は、前記函体部に穿孔された貫通穴に挿通される継手管部と、前記函体部の内空側に配置される前記継手管部の端部に鍔状に形成されるフランジ部とを有する構成にすることができる。
【００１２】
一方、前記気流形成部は、前記集塵部の上方に上下方向に延伸された内空を有しており、前記気流形成部の上部には、空気の流入口が設けられるとともに、前記蓋部に隣接する前記気流形成部の仕切壁には前記床の上面まで切り欠かれた取込口が設けられ、その取込口は開閉自在の扉部で覆われている構成にすることができる。また、前記気流形成部の内空には、下方に向けた気流を生成させる気流生成装置が設けられているのが好ましい。
【００１３】
また、前記集塵部は、前記床の開口側が広い漏斗状に形成された漏斗部であって、前記フィルター部は前記漏斗部の内空を上部空間と下部空間とに仕切るように配置される構成とすることができる。
【００１４】
ここで、前記漏斗部の下流側の管路の一部を略Ｕ字状に形成することができる。また、前記管路の略Ｕ字状に形成された箇所にメンテナンス栓を設けた構成であってもよい。
【００１５】
さらに、前記フィルター部の上に前記漏斗部の内空の空気の流れを制御する制御ファンを設けることができる。また、前記制御ファンと前記フィルター部との間に箱状の集塵箱部を介在させてもよい。
【００１６】
また、前記屋内の壁の上部には、屋外に連通する給気口が設けられている構成であってもよい。さらに、前記排気ファン部の風力を調整するスイッチ部を備えている構成であってもよい。
【発明の効果】
【００１７】
このように構成された本発明の建物の清掃システムは、床に形成された開口に上端が接続されて床下空間に配置される集塵部と、集塵部に向けての気流を生成する気流形成部とを備えている。
【００１８】
このため、集塵部にモップやほうきで落とすことで大きな塵を取り除くことができる。また、床の上から集塵部に集められた塵埃を取り除くことができるので、メンテナンスも容易である。
【００１９】
さらに、排気ファン部を床下空間に設置することで、床上の屋内に発生する騒音を小さく抑えることができるうえに排気も屋内に発生しない。また、取り外し可能な集塵籠部を有する構成であれば、集塵籠部に集められた塵埃を捨てることが容易にできる。
【００２０】
また、集塵籠部を収容する函体部の上部と、排気ファン部との接続部が設けられる函体部の下部とをフィルター部で仕切ることによって、細かい埃が排気ファン部に流れ込むことを防ぐことができる。
【００２１】
さらに、排気ファン部と接続させるために函体部に設けられる接続部を、継手管部と、函体部の内空側に配置される継手管部の端部に鍔状に形成されるフランジ部とによって構成することで、排気ファン部との連結ダクトを抜く際に継手管部が函体部から外れたり、損傷したりするのを防ぐことができる。
【００２２】
また、集塵部の上方に気流形成部を設け、開閉自在の扉部で屋内から開口に繋がる取込口を塞いでおけば、塵埃を効率よく集塵部に集めることができる。さらに、気流形成部の内空に気流生成装置を設けることによって、より確実に蓋部の下の集塵部に塵埃を集めることができる。
【００２３】
また、フィルター部によって内空が仕切られた漏斗部にモップやほうきで集められた塵埃を投入する構成であれば、漏斗部に落ちた塵埃は遠心力で内周面に沿って滑り落ち、フィルター部の縁部周辺に堆積するので、排気ファン部に向けての中央の空気の流れが堆積した塵埃によって遮断されることがなく、換気性能を維持することができる。
【００２４】
さらに、漏斗部の下流側の管路の一部を略Ｕ字状に形成すれば、フィルター部を通過した埃などが排気ファン部にまで流れ込むのを抑えることができる。また、Ｕ字状の底に水を溜めることで、排気中の埃などを吸着させることができる。そして、Ｕ字状に形成された箇所にメンテナンス栓を設けておけば、埃や埃が混じった水をメンテナンス栓から抜き出すことで容易に管路の維持管理をおこなうことができる。
【００２５】
また、漏斗部の内空の空気の流れを制御する制御ファンを設けることで、漏斗部に落ちた塵埃を所望する箇所に集めることができる。さらに、制御ファンによって塵埃が集められる箇所に箱状の集塵箱部を設けておけば、フィルター部に堆積したり、フィルター部を通過したりする塵埃の量が減って、換気性能を維持できるとともに、排気ファン部にまで埃などが流れ込むのを抑えることができる。
【００２６】
また、屋内の壁の上部に給気口を設けることで、屋内全体に跨った上から下への空気の流れを形成することができ、迅速に屋内の空気を入れ替えて臭いや埃を除去することができる。
【００２７】
さらに、排気ファン部の風力を調整するスイッチ部を設けることで、掃除するときには風力を強め、掃除をしていないときには換気が行える程度の風力に弱めるというように、切り替えをすることができる。
【図面の簡単な説明】
【００２８】
【図１】本発明の実施の形態の建物の清掃システムの構成を説明する断面図である。
【図２】函体部及び集塵籠部の構成を説明する斜視図である。
【図３】フィルター部の構成を説明する斜視図であって、（ａ）は分解図、（ｂ）は完成図である。
【図４】別の形態のフィルター部の構成を説明する図であって、（ａ）は挟込み式、（ｂ）は挿込み式、（ｃ）はピン固定式のフィルター部の斜視図である。
【図５】建物の清掃システムの使用方法を説明する斜視図である。
【図６】実施例１の建物の清掃システムの構成を説明する断面図である。
【図７】実施例２の建物の清掃システムの構成を説明する断面図である。
【図８】漏斗部及び蓋部の構成を説明する斜視図である。
【図９】実施例２の別の形態を説明する断面図である。
【図１０】実施例３の漏斗部及び制御ファンの構成を説明する断面図である。
【図１１】制御ファンによって制御される気流を説明する斜視図である。
【発明を実施するための形態】
【００２９】
以下、本発明の実施の形態について図面を参照して説明する。図１は、本実施の形態の建物としての住宅１の清掃システムの構成を説明する断面図である。
【００３０】
この住宅１は、基礎部１３の上に構築されており、屋内１ａの床１２の下には床下空間１ｂが形成される。また、屋内１ａと屋外１ｃとは、住宅１の壁１１によって仕切られている。
【００３１】
そして、本実施の形態の住宅１の清掃システムは、床面に形成された開口１２ａに上端が接続され床下空間１ｂに配置される集塵部としての函体部２と、その函体部２の上面を着脱自在に塞ぐ蓋部３と、函体部２に収容されて床１２の上から取り外し可能な集塵籠部２２と、床下空間１ｂに設置されて函体部２に接続される気流形成部としての排気ファン部４と、排気ファン部４から送り出された排気を屋外１ｃに排出するための排気経路部５とを主に備えている。
【００３２】
この函体部２は、図２に示すように、上面が開放された直方体状の箱に成形され、函体部２の上縁に沿って床１２に引っ掛けるための庇部２ａ，２ａが設けられている。
【００３３】
この函体部２の平面形状は、床１２に形成される開口１２ａとほぼ同じ長方形である。例えば、縦40cm×横7cm×深さ25cmの箱状の函体部２の長辺側の上縁に沿って幅1cmの庇部２ａ，２ａを設けた構成とすることができる。
【００３４】
また、函体部２の内空は、集塵籠部２２を収容する上部空間と、後述する排気ファン部４との接続部２３を設ける下部空間とに分けることができる。上部空間と下部空間との境界付近の内壁面には、複数のＬ金具２４，・・・が間隔を置いて取り付けられる。そして、Ｌ金具２４，・・・の上にパネル状に形成されたフィルター部２１が設置される。
【００３５】
このフィルター部２１は、いずれの形態であってもよいが、例えば図３に示すような構成にすることができる。このフィルター部２１は、長方形に成形されたフィルター２１ａと、フィルター２１ａの外周縁を支持させる枠体２１ｂと、フィルター２１ａの枠体２１ｂへの固定手段となる把持部２１ｃとから主に構成される。
【００３６】
フィルター２１ａには、例えば合成樹脂を原料とする不織布が使用できる。また、枠体２１ｂは、長方形の外周を縁取るように成形されており、必要に応じて枠体２１ｂの内空側にフィルター２１ａを下方から支持させる棒材（図示せず）が架け渡される。
【００３７】
把持部２１ｃの両端には切欠が設けられ、図３（ｂ）に示すように切欠の上部を枠体２１ｂに引っ掛けた状態で切欠間の下部を内空側に嵌め込める構成となっている。このため、図３（ａ）に示すように枠体２１ｂの内縁の鍔上にフィルター２１ａを置き、その上から把持部２１ｃを枠体２１ｂに嵌めると、図３（ｂ）に示すようにフィルター２１ａが固定されることになる。また、把持部２１ｃは、床１２の上からフィルター部２１を外す際の把手にもなる。
【００３８】
また、図４に示すような別の形態のフィルター部２５，２６，２７にすることもできる。図４（ａ）に示したフィルター部２５は、長方形状の下枠２５ｂと、同じく長方形状の上枠２５ｃとの間にフィルター２５ａを挟む構成となっている。この下枠２５ｂと上枠２５ｃとは、短辺側の縁部どうしが蝶番で開閉自在に連結されており、上枠２５ｃを開くことによってフィルター２５ａを交換することができる。
【００３９】
一方、図４（ｂ）に示したフィルター部２６は、長方形のシートの挿し込みが可能に形成された枠部２６ｂに、シート状のフィルター２６ａを挿し込むことによって構成される。この枠部２６ｂには、床１２の上からフィルター部２６を外す際の把手になる把持部２６ｃが取り付けられている。
【００４０】
また、図４（ｃ）に示したフィルター部２７では、長方形状の枠体２７ｂの上面に、間隔を置いて複数のピン２７ｃ，・・・が上を向いて立てられている。そして、フィルター２７ａの縁部には、ピン２７ｃ，・・・の位置に合わせて穴２７ｅ，・・・が穿孔されており、穴２７ｅにピン２７ｃを通すことによってフィルター２７ａを枠体２７ｂに固定することができる。なお、図３に示した把持部２１ｃのような角柱部材の両端にピン２７ｃ，２７ｃを挿し込む穴を設け、その角柱部材と枠体２７ｂとの間にフィルター２７ａを挟み込んで固定させることもできる。
【００４１】
さらに、枠体２７ｂの短辺側には窪み部２７ｄ，２７ｄがそれぞれ設けられており、床１２の上からフィルター部２７を外す際に、指を窪み部２７ｄ，２７ｄに掛けることによって容易に取り外すことができる。
【００４２】
函体部２の上部空間に収容される集塵籠部２２は、上部空間の内空より一回り小さい直方体状の籠である。集塵籠部２２は、面材によって四角筒状に成形される筒部２２ｂと、筒部２２ｂの下面を塞ぐ網目状の底網部２２ｃと、筒部２２ｂの側面に回動可能に取り付けられる把手２２ａとによって構成される。
【００４３】
この底網部２２ｃの網目の大きさは、集塵籠部２２に集めたい塵埃の大きさによって調整できる。しかしながら、底網部２２ｃを通過した塵埃は、フィルター部２１上に堆積することになるため、通気性を損なわない程度であれば底網部２２ｃの網目の大きさを小さく設定する方がよい。
【００４４】
また、把手２２ａは、回動可能に取り付けられているが、筒部２２ｂの上縁まで倒れこむと、図２の二点鎖線で示すように上縁に当たってそれ以上下方に回りこむことがないように設定されている。このため、集塵籠部２２は、筒部２２ｂの上縁付近に納められた把手２２ａを起こすことで、容易に函体部２から抜き出すことができる。
【００４５】
一方、函体部２の下部空間の側面には、接続部２３を設けるための貫通穴２ｂが穿孔されている。また、接続部２３は、貫通穴２ｂの内径とほぼ同じ外径の円筒状の継手管部２３ａと、継手管部２３ａの端部に鍔状に形成されるフランジ部２３ｂとを有している。
【００４６】
この接続部２３の継手管部２３ａを、函体部２の内空から貫通穴２ｂに挿入してフランジ部２３ｂを函体部２の内壁面に固定すると、フランジ部２３ｂが函体部２の内壁面に引っ掛かる構造となるため、継手管部２３ａを外側から引っ張っても抜けることがない。
【００４７】
函体部２の上面は、図５に示すように、床１２の上下方向で貫通させた複数の空隙が形成された蓋部３によって塞がれる。この蓋部３は、開口１２ａの周囲を縁取る形状の枠部３１と、枠部３１の内部に間隔を置いて平行に取り付けられる複数の羽根板３２，・・・とによって構成されるガラリである。
【００４８】
この羽根板３２，３２間の隙間が床１２の上下方向で貫通させた空隙となる。この羽根板３２，３２間の間隔は、集塵籠部２２に集めたい塵埃の大きさに合わせて設定すればよい。
【００４９】
そして、函体部２の接続部２３に嵌め込まれる連結ダクト４１は、図１に示すように排気ファン部４に接続される。排気ファン部４は、換気用のファンでる。排気ファン部４のスイッチのオン・オフ、回転数の調整（「強清掃モード」、「弱清掃モード」、「換気モード」など）は、屋内１ａのスイッチ部４２でおこなう。
【００５０】
床下空間１ｂに設置される排気ファン部４は、動作音が床下空間１ｂに漏れることにはなるが、床１２で遮られているので、その上の屋内１ａにはほとんど伝搬されない。
【００５１】
また、排気ファン部４の吸込み力によって函体部２から流れ込んだ排気は、排気経路部５を通って屋外１ｃに排出される。この排気経路部５は、ダクト５１と、床下空間１ｂと屋外１ｃとの境界となる基礎部１３の壁に設けられる排気口５２とによって主に構成される。
【００５２】
ここで、排気ファン部４は、通常の屋内１ａの換気をおこなうことを主目的に設置される。すなわち、屋内１ａの壁１１の上部には、給気口１４が設けられており、フィルター１４ａを通って屋内１ａに流れ込んだ空気（図１の白抜き矢印参照）は、蓋部３の空隙を通って函体部２に流れ込み、排気ファン部４で送り出されて排気口５２から排出される。
【００５３】
次に、本実施の形態の住宅１の清掃システムの使用方法と作用について説明する。
【００５４】
まず、屋内１ａのスイッチ部４２を操作して、「強清掃モード」又は「弱清掃モード」で排気ファン部４を作動させる。続いて、図５に示すようにモップ６を持って床１２を掃き、塵や埃などのゴミ６１を集める。
【００５５】
ゴミ６１は、蓋部３に向けて集め、そのまま羽根板３２，３２間の隙間から函体部２に落とす。ここで、函体部２内には上から接続部２３に向けての気流が形成されており、ゴミ６１を落としても埃などが床１２上に舞い上がることがない。また、モップ６にゴミ６１が着いていても、気流の吸込み力によって取り去ることができる。
【００５６】
函体部２に落とされたゴミ６１のうち、大きなものは集塵籠部２２に集められる。また、集塵籠部２２の底網部２２ｃの網目より細かい埃は、集塵籠部２２より抜け落ちてフィルター部２１に堆積する。
【００５７】
そして、ゴミ６１が取り除かれた空気は、フィルター部２１を通って接続部２３の継手管部２３ａに流れ込み、連結ダクト４１を通って排気ファン部４に送り込まれる。排気ファン部４から先はダクト５１を通って排気口５２から屋外１ｃに排気される。
【００５８】
また、モップ６を使用せずに気流によってゴミ６１を集塵籠部２２に集める場合は、屋内１ａに住人がいる場合は、スイッチ部４２を「弱清掃モード」にして、弱い気流で住人に不快感を与えないように清掃と換気をおこなわせる。これに対して、住人が不在のときは、スイッチ部４２を「強清掃モード」にして、強い気流によって家具などに付着した埃や家具の隙間に溜まったゴミ６１を舞い上がらせるほどの風量を与えて屋内１ａの隅々まで清掃させることができる。
【００５９】
そして、集塵籠部２２に溜まったゴミ６１は、床１２上から蓋部３を取り外して、図２に示すように把手２２ａを起こして函体部２から集塵籠部２２を引き上げることによって捨てることができる。
【００６０】
また、フィルター部２１も同様に函体部２から取り外すことができる。フィルター部２１は、堆積した埃などを掃除機で吸込んだり、水で洗い流したりすることで洗浄することができる。洗浄したフィルター部２１は、函体部２のＬ金具２４，・・・の上に再び設置し、その上に集塵籠部２２を収容し、把手２２ａを倒して蓋部３で函体部２の上面を覆う。
【００６１】
このように構成された本実施の形態の住宅１の清掃システムは、床１２の上から取り外し可能な集塵籠部２２を備えている。また、集塵籠部２２は、床下空間１ｂに設置された排気ファン部４に接続されている。
【００６２】
排気ファン部４が床下空間１ｂに設置されているため、床上の屋内１ａに発生する騒音を小さく抑えることができ、夜中などでも思い立ったときに掃除をすることができる。
【００６３】
また、集塵籠部２２にモップ６で落とすことで大きなゴミ６１を取り除くことができる。さらに、メンテナンス時も、フィルターなどを外さなくても集塵籠部２２を取り出して、そこに集められたゴミ６１を容易に捨てることができる。
【００６４】
そして、換気システムを利用した清掃システムであるため、ゴミ６１を吸い取らせるために生成された気流による排気は、排気ファン部４によって屋外１ｃに排出され、屋内１ａの空気は清浄状態を保つことができる。
【００６５】
また、壁１１の上部に設けた給気口１４から屋外１ｃの外気を取り込んで、床１２の開口１２ａに向けた下向きの空気の流れによって一気に屋内１ａの空気を入れ替えることができる構成となっているため、屋内１ａの臭いやよどんだ空気を迅速に入れ替えることができる。
【００６６】
特に、給気口１４と開口１２ａとが屋内１ａの対角線上に配置されていれば、より効率的に空気の入れ替えをおこなうこができる。さらに、下向きの空気の流れによって、屋内１ａの上部に漂う埃を積極的に落下させて取り除くことができる。
【００６７】
また、集塵籠部２２を収容する函体部２の上部空間と、排気ファン部４との接続部２３が設けられる函体部２の下部空間とをフィルター部２１で仕切ることによって、細かい埃が排気ファン部４に流れ込むことを防ぐことができる。
【００６８】
さらに、排気ファン部４と接続させるために函体部２に設けられる接続部２３を、継手管部２３ａと、函体部２の内空側に配置される継手管部２３ａの端部に鍔状に形成されるフランジ部２３ｂとによって構成することで、メンテナンスなどで排気ファン部４との連結ダクト４１を抜く際に継手管部２３ａが函体部２から外れたり、損傷したりするのを防ぐことができる。
【００６９】
また、排気ファン部４の風力を調整するスイッチ部４２を設けることで、掃除するときには風力を強め、掃除をしていないときには換気が行える程度の風力に弱めるというように、切り替えをすることができる。
【実施例１】
【００７０】
以下、前記した実施の形態とは別の形態の実施例１について、図６を参照しながら説明する。なお、前記実施の形態で説明した内容と同一乃至均等な部分の説明については、同一用語又は同一符号を付して説明する。
【００７１】
前記実施の形態では、気流形成部として排気ファン部４を利用した構成について説明したが、この実施例１では、開口１２ａ（蓋部３）の上方に気流形成部７が設けられる場合について説明する。
【００７２】
気流形成部７は、図６に示したように、壁１１とそれに平行に配置される仕切壁７１との間に形成される。仕切壁７１を開口１２ａの幅より少し広い間隔で壁１１の内面から離して設置することによって、上下方向に延伸された内空７ａが形成される。
【００７３】
また、仕切壁７１と天井１５との間には、気流形成部７の内空７ａへの空気の流入口７２が設けられる。さらに、仕切壁７１の蓋部３に隣接する部分には、床１２の上面まで切り欠かれた取込口７１ａが設けられる。
【００７４】
この取込口７１ａは、ゴムシートなどで成形された開閉自在の扉部７１ｂで気密性が確保できる状態で覆われている。そして、気流形成部７の内空７ａには、下方に向けた気流を生成させる気流生成装置７４が設けられる。この気流生成装置７４は、下向きに空気が送り出されるように取り付けられたシロッコファンなどのファン７４ａと、ファン７４ａから送り出された風を加速させるサイクロン生成部７４ｂとを備えている。また、ファン７４ａの上方はフィルター７３によって覆われており、ファン７４ａに異物が入らないような構成になっている。
【００７５】
このサイクロン生成部７４ｂは、下方にいくほど先細る漏斗状に形成されており、上端の広い口から流れ込んだ空気は、渦を巻いて加速され、下端の狭い口から蓋部３に向けて吐出される。
【００７６】
このように実施例１の構成では、気流形成部７によって床上から函体部２に向けての気流が生成されるため、床下空間１ｂに排気ファン部４を配置する必要がない。このため、図６に示すように、函体部２には直接、排気経路部５が接続される。
【００７７】
次に、本実施例の住宅１の清掃システムの使用方法と作用について説明する。まず、屋内１ａのスイッチ部４２を操作して気流生成装置７４のファン７４ａを作動させる。この結果、取込口７１ａが扉部７１ｂによって遮蔽された気流形成部７の内空７ａには、流入口７２から流れ込んだ屋内１ａの空気が下方の函体部２に向けて流れ込む空気の流れが生成される。また、ファン７４ａは仕切壁７１によって屋内１ａから区切られた空間で作動するため、ファン７４ａによる騒音は屋内１ａ側ではほとんど発生しない。
【００７８】
一方、屋内１ａでは、モップ６によって床１２のゴミ６１が扉部７１ｂの前まで掃き集められる。続いて、モップ６をゴミ６１ごと扉部７１ｂに押し当てて、扉部７１ｂを内空７ａ側に押し込むと、ゴミ６１は蓋部３の隙間から函体部２内に落ち込む。ここで、内空７ａには、下向きの気流が形成されており、ゴミ６１はその気流に押されて函体部２内に落ちるため、埃などが舞い上がることがない。
【００７９】
このように、ゴミ６１を落とす床１２の開口１２ａの上に気流形成部７を設け、開閉自在の扉部７１ｂで屋内１ａから開口１２ａに繋がる取込口７１ａを塞いでおけば、蓋部３の上又はその周辺のゴミ６１を効率よく集塵籠部２２に集めることができる。また、気流形成部７の内空７ａに気流生成装置７４を設けることによって、より確実に蓋部３の下の集塵籠部２２にゴミ６１を集めることができる。
【００８０】
なお、他の構成及び作用効果については、前記実施の形態又は他の実施例と略同様であるので説明を省略する。
【実施例２】
【００８１】
以下、前記した実施の形態及び実施例１とは別の形態の実施例２について、図７−図９を参照しながら説明する。なお、前記実施の形態又は実施例１で説明した内容と同一乃至均等な部分の説明については、同一用語又は同一符号を付して説明する。
【００８２】
前記実施の形態では集塵部としての函体部２を備えた構成について説明したが、この実施例２では、集塵部としての漏斗部８を備えた住宅１の清掃システムについて説明する。
【００８３】
この漏斗部８は、図８に示すように内径の広い上口８ａからそれよりも内径の狭い下口８ｂにかけて先細る截頭円錐状に形成されている。上口８ａから下口８ｂまでの内空は連通されており、下口８ｂは排気ファン部４に一端が接続される連結ダクト４１Ａの他端になる接続口４１１に嵌り合う。
【００８４】
また、漏斗部８の上部には、回動可能に把手８ｃが取り付けられる。すなわち、この把手８ｃを起こして持ち上げると、漏斗部８が連結ダクト４１Ａの接続口４１１から外れて床１２の上に取り出すことができる。
【００８５】
さらに、漏斗部８の内空は、フィルター部８１によって上部空間と下部空間とに仕切られている。このフィルター部８１は、前記実施の形態で説明したようにいずれの形態であってもよいが、例えば図８に示すような構成にすることができる。このフィルター部８１は、合成樹脂製の不織布が円形に成形されたフィルター８１ａと、フィルター８１ａの外周縁を支持させる枠体８１ｂと、フィルター８１ａの枠体８１ｂへの固定手段となる把持部８１ｃとから主に構成される。
【００８６】
一方、漏斗部８の内周面には、円環状の鍔部８２が設けられており、鍔部８２の上にフィルター部８１を設置する。漏斗部８の上口８ａから取り込まれた空気は、鍔部８２の中央の穴を通って下口８ｂから連結ダクト４１Ａに流れ込む。
【００８７】
漏斗部８の上面は、図８に示すように、床１２の上下方向で貫通させた複数の空隙が形成された蓋部３Ａによって塞がれる。この蓋部３Ａは、正方形状に成形された開口１２ａの周囲を縁取る正方形状の枠部３１Ａと、枠部３１Ａ0の内部に格子状に形成される格子３３とによって主に構成される。
【００８８】
この蓋部３Ａは、開口１２ａの内周に沿って設けられる床面より一段下がった段差部１２ｂの上に着脱自在に設置される。この段差部１２ｂに蓋部３Ａを嵌めると、蓋部３Ａの上面と床１２の上面とは面一になる。
【００８９】
また、漏斗部８の上口８ａと段差部１２ｂとの隙間にはゴムシートなどのシール材１２ｃ，・・・がそれぞれ配置される。このシール材１２ｃは段差部１２ｂ側に固定されており、漏斗部８を取り外す際の支障になることはない。
【００９０】
このように構成された漏斗部８には、図７に示すように給気口１４から流入して屋内１ａを通過した空気が流れ込む。また、気流に乗って運ばれる埃や、モップ６などで集められた大きな塵も、蓋部３Ａの格子３３の目を通って漏斗部８内に落下する。
【００９１】
ここで、漏斗部８内では、内周面に沿って螺旋を描くようにして連結ダクト４１Ａの接続口４１１に向けて空気が流れている。このため、漏斗部８内に落ちたゴミ６１も、遠心力で内周面に沿って滑り落ち、フィルター部８１の縁部周辺に堆積する。すなわち、ゴミ６１は鍔部８２上周辺に堆積するので、鍔部８２中央の穴の上にはあまりゴミ６１が堆積せず、排気ファン部４に向けた空気の流れが遮断されることがない。
【００９２】
このように排気ファン部４を清掃システムに利用しても、本来の住宅１の換気性能を維持することができる。また、フィルター部８１に堆積するゴミ６１の量が多くなれば、床１２の上から蓋部３Ａを外し、把手８ｃを起こして漏斗部８を持ち上げ、漏斗部８内に溜まったゴミ６１を捨てればよい。
【００９３】
一方、排気ファン部４に流れ込む埃などの量は、可能な限り低減させることが換気性能を維持していくうえでは好ましい。そこで、図９に示したように漏斗部８と排気ファン部４との間を、管路の一部が略Ｕ字状に形成された連結管４３で繋ぐことができる。
【００９４】
このようにＵ字状に形成された連結管４３であれば、上方に位置する接続口４１１から流れ込んだ空気は、一旦下降して、Ｕ字の底で折り返して上昇した後に排気ファン部４に流れ込む。このため、空気に埃などが含まれていると、Ｕ字の底に堆積して排気ファン部４までは到達しにくくなる。
【００９５】
さらに、連結管４３に水を入れてＵ字の底に水面４３ａを設ければ、空気は水面４３ａと連結管４３の内面との隙間を流れることになり、気流によって運ばれた排気中の埃などは、水面４３ａから水に吸着されることになる。この結果、下流側の排気ファン部４に流れ込む埃の量を大幅に低減することができる。
【００９６】
また、Ｕ字の底となる連結管４３の最下面にメンテナンス栓４３１を設けておくことで、連結管４３に溜まった埃や埃が混じった水を抜き出すことができる。すなわち、定期的にメンテナンス栓４３１を開けて清掃することで、容易に連結管４３の維持管理をおこなうことができる。
【００９７】
なお、他の構成及び作用効果については、前記実施の形態又は他の実施例と略同様であるので説明を省略する。
【実施例３】
【００９８】
以下、前記した実施の形態及び実施例１，２とは別の形態の実施例３について、図１０，１１を参照しながら説明する。なお、前記実施の形態又は他の実施例で説明した内容と同一乃至均等な部分の説明については、同一用語又は同一符号を付して説明する。
【００９９】
この実施例３で説明する集塵部としての漏斗部８Ａには、図１０，１１に示すように、漏斗部８Ａの内空の空気の流れを制御する制御ファン８３が設置されている。すなわち漏斗部８Ａの内部には、漏斗部８Ａの内空を上部空間と下部空間とに仕切るフィルター部８１Ａと、フィルター部８１Ａの上に設置される箱状の集塵箱部８５と、集塵箱部８５の上方に配置される中空の受部８４と、受部８４に対して回転自在に取り付けられる制御ファン８３とが設けられる。
【０１００】
フィルター部８１Ａは、目の細かい金網などによって形成される所定以上の剛性を備えた部材である。このフィルター部８１Ａの外周縁は、漏斗部８Ａの内周面に固定されている。
【０１０１】
また、フィルター部８１Ａの略中央には、図１１に示すようにフィルター部８１Ａの直径よりも小さい直径の円筒状の集塵箱部８５が固定される。この集塵箱部８５と漏斗部８Ａの内周面との間に環状に残されたフィルター部８１Ａを通過して空気が下方に流れることになる。
【０１０２】
集塵箱部８５の側壁には複数の棒状の支持具８６，・・・の一端が固定されており、これらの支持具８６，・・・によって受部８４が集塵箱部８５の底面から浮いた状態で支持される。
【０１０３】
受部８４は、上端面にベアリング（図示省略）が設けられた漏斗状の部材で、受部８４の上端面に回転自在に制御ファン８３が取り付けられる。この制御ファン８３には、排気ファン部４によって生成された上方から下方に向けての空気の流れによって自然に回転するように複数の羽根８３ａ，・・・が設けられている。
【０１０４】
この羽根８３ａは、外縁が丸みを帯びるように楕円状に形成されている。また、羽根８３ａは上方にいくほど外側に広がるように取り付けられている。このような制御ファン８３を設けることによって、上方から流入した空気は、図１１の矢印で示すように羽根８３ａ，・・・の内側に集められ、受部８４の内空に向けた空気の流れが生成される。
【０１０５】
このため、漏斗部８Ａの上方から落ちてくるゴミ６１も、複数の羽根８３ａ，・・・によって捉えられて空気の流れと同様に受部８４に向けて降下することになる。そして、受部８４を通過したゴミ６１は、図１０に示すように集塵箱部８５に堆積される。
【０１０６】
他方、空気の一部は、図１１に示すように羽根８３ａ，・・・の隙間から外側に漏れて、集塵箱部８５の外側のフィルター部８１Ａを通って連結ダクト４１Ａに流れ込む。
【０１０７】
このように漏斗部８Ａの内空の空気の流れを制御する制御ファン８３を設けることで、漏斗部８Ａに落ちたゴミ６１を集塵箱部８５に集めることができる。集塵箱部８５にゴミ６１の多くが集められるように構成されていれば、ゴミ６１がフィルター部８１Ａに堆積しにくくなって換気性能を維持することができる。なお、集塵箱部８５に堆積したゴミ６１は、床１２の上から漏斗部８Ａごと抜き出してひっくり返すことによって捨てることができる。
【０１０８】
また、フィルター部８１Ａに直接向かうゴミ６１の量が減れば、フィルター部８１Ａを通過する埃の量も減って、排気ファン部４にまで埃などが流れ込むのを抑えることができる。
【０１０９】
なお、他の構成及び作用効果については、前記実施の形態又は他の実施例と略同様であるので説明を省略する。
【０１１０】
以上、図面を参照して、本発明の実施の形態を詳述してきたが、具体的な構成は、この実施の形態又は実施例に限らず、本発明の要旨を逸脱しない程度の設計的変更は、本発明に含まれる。
【０１１１】
例えば、前記実施の形態又は実施例では、排気を屋外１ｃに排出する構成について説明したが、これに限定されるものではなく、排気を床下空間１ｂに排出する構成であってもよい。
【０１１２】
また、前記実施の形態ではガラリタイプの蓋部３について説明し、実施例２では格子タイプの蓋部３Ａについて説明したが、これらに限定されるものではなく、グレーチングタイプ、パンチングメタルタイプ、金網タイプなどいずれの形態であってもよい。
【０１１３】
また、前記実施の形態では、網目状の底網部２２ｃを備えた集塵籠部２２について説明したが、これに限定されるものではなく、底面がパンチングメタル、フィルター、グレーチングなどのいずれの形態の部材で構成されていてもよい。また、筒部２２ｂの形態は面状に限定されず、網目などの有孔構造であってもよい。
【０１１４】
さらに、前記実施の形態又は実施例１では、函体部２の側面に接続部２３を設けたが、これに限定されるものではなく、函体部２の底面に接続部を設けることもできる。
【０１１５】
また、前記実施の形態では、フランジ部２３ｂが函体部２の内空側に配置される構成について説明したが、これに限定されるものではなく、フランジ部２３ｂが函体部２の外側の側面又は底面に取り付けられる構成であってもよい。
【０１１６】
また、前記実施の形態では、函体部２を上部空間と下部空間とに仕切るフィルター部２１を設置する構成について説明したが、これに限定されるものではなく、函体部２に集塵籠部２２を収容するだけの構成であってもよい。この場合は、集塵籠部２２の網目の大きさなどを適宜、調整する。さらに、集塵籠部２２のない函体部２がフィルター部２１によって仕切られただけの構成であってもよい。
【０１１７】
そして、前記実施例１では、取込口７１ａの扉部７１ｂはゴムシートなどの可撓性及び弾性のある材料によって形成したが、これに限定されるものではなく、蝶番によって開閉自在にされた四角形の板材の側縁及び下縁にモヘアやゴムシートなどを取り付けて気密性を高めた構成であってもよい。
【０１１８】
また、前記実施例２では漏斗部８が連結ダクト４１Ａの接続口４１１から外れて取り出せる構成について説明したが、これに限定されるものではなく、漏斗部８は連結ダクト４１Ａに固定されていて、フィルター部８１を持ち上げることによって集められた塵埃を捨てる構成にすることもできる。
【０１１９】
さらに、前記実施例３では、駆動モータを備えていない制御ファン８３について説明したが、これに限定されるものではなく、駆動モータを備えた自転可能な制御ファンを配置することもできる。
【符号の説明】
【０１２０】
１              住宅（建物）
１ａ            屋内
１ｂ            床下空間
１ｃ            屋外
１２            床
１２ａ          開口
１４            給気口
２              函体部（集塵部）
２ｂ            貫通穴
２１，２５，２６，２７  フィルター部
２２            集塵籠部
２３            接続部
２３ａ          継手管部
２３ｂ          フランジ部
３，３Ａ        蓋部
４              排気ファン部（気流形成部）
４２            スイッチ部
４３            連結管（管路）
４３１          メンテナンス栓
５              排気経路部
５１            ダクト
５２            排気口
６１            ゴミ（塵埃）
７              気流形成部
７ａ            内空
７１            仕切壁
７１ａ          取込口
７１ｂ          扉部
７２            流入口
７４            気流生成装置
８，８Ａ        漏斗部（集塵部）
８１，８１Ａ    フィルター部
８３            制御ファン
８５            集塵箱部
【図１】
0005699061.tif 000002
【図２】
0005699061.tif 000003
【図３】
0005699061.tif 000004
【図４】
0005699061.tif 000005
【図５】
0005699061.tif 000006
【図６】
0005699061.tif 000007
【図７】
0005699061.tif 000008
【図８】
0005699061.tif 000009
【図９】
0005699061.tif 000010
【図１０】
0005699061.tif 000011
【図１１】
0005699061.tif 000012